(57)【特許請求の範囲】
【請求項１】
衣料がブラジャーであって、当該ブラジャーを構成するため所定の形状に形成された布片を備えるとともに、当該布片の裏面側に裏当て部材を設けて前記ブラジャーの少なくとも一部を二重に構成し、当該二重に構成された前記ブラジャーの布片及び前記裏当て部材の少なくとも下方のエッジ部の両外面に、当該エッジ部を挟んだ状態で二つに折り返された帯状のテープ部材を接着するとともに、前記ブラジャーの布片及び前記裏当て部材の少なくとも下方のエッジ部の両内面どうしの、帯状のテープ部材が接着される部分を、予め互いに接着又は縫着し、かつ前記裏当て部材の上端のエッジ部を前記ブラジャーの布片に縫着するとともに、当該裏当て部材の側縁を前記衣料の布片に縫着せずに、パッド部材を挿入可能としたことを特徴とする衣料。
【請求項２】
前記ブラジャーの左右のカップ部の内側に、少なくともその一部に、裏当て部材を接着したことを特徴とする請求項１に記載の衣料。
【請求項３】
前記ブラジャーを構成するため所定の形状に形成された布片と、裏当て部材との材質を変えたことを特徴とする請求項１又は２に記載の衣料。
【請求項４】
前記ブラジャーを構成するため所定の形状に裁断された布片と、裏当て部材との間に、パッド部材を介在させたことを特徴とする請求項１乃至３のいずれかに記載の衣料。
【請求項５】
前記帯状のテープ部材は、伸縮性を有する素材からなることを特徴とする請求項１乃至４のいずれかに記載の衣料。
【発明の詳細な説明】
【０００１】
【発明の属する技術分野】
この発明は、ブラジャーやガードル等の女性用下着、水着あるいはアウター、更には男性用の下着や、水着あるいはアウター等の衣料に関するものである。
【０００２】
【従来の技術】
従来、この種の衣料のうち、女性用下着としてのブラジャー１０１は、例えば、図２２に示すように、女性のバストをそれぞれ覆う左右のカップ部１０２、１０３を備え、これらの左右のカップ部１０２、１０３は、当該左右のカップ部１０２、１０３の下側に縫着された下辺連結布１０４によって、一体的に連結されており、この下辺連結布１０４の左右の両側には、女性の体の背面側で互いに係止される図示しない左右の側布がそれぞれ縫着されている。これら左右の側布の先端部には、フックやアイ等からなる図示しない係止具が、縫着等の手段によって取り付けられている。また、上記左右のカップ部１０２、１０３の三角形状に形成された上端部には、女性の肩に掛けるストラップ１０５、１０６がそれぞれ装着されている。
【０００３】
上記左右のカップ部１０２、１０３は、図２３に示すように、装身用パッドとしての乳房パッド１０７と、この乳房パッド１０７の表面を覆う表地１０８と、乳房パッド１０７の裏面を覆う裏地１０９とからそれぞれ構成されている。
【０００４】
そして、上記ブラジャーは、左右のカップ部１０２、１０３を構成する上下の表地１０８と、乳房パッド１０７の裏面を覆う裏地１０９とを、所定の形状に裁断した後、これらの表地１０８と裏地１０９との端縁を、乳房パッド１０７を挟んだ状態で縫着し、更に、左右のカップ部１０２、１０３を下辺連結布１０４に縫着して構成されている。また、下辺連結布１０４は、その下端縁が内側に折り返した状態で縫着して構成されている。
【０００５】
【発明が解決しようとする課題】
しかしながら、上記従来技術の場合には、次のような問題点を有している。すなわち、上記従来のブラジャー１０１は、図２２に示すように、左右のカップ部１０２、１０３を構成する表地１０８と裏地１０９との端縁を、乳房パッド１０７を挟んだ状態で縫着し、更に、左右のカップ部１０２、１０３を下辺連結布１０４に縫着するとともに、下辺連結布１０４も、その下端縁を内側に折り返した状態で縫着して構成されている。そのため、上記従来のブラジャー１０１は、左右のカップ部１０２、１０３を構成する表地１０８と裏地１０９とを縫着したり、下辺連結布１０４の下端縁を内側に折り返して縫着する必要があるため、縫製作業が多く、製造コストが高くならざるを得ないという問題点を有していた。
【０００６】
また、上記従来のブラジャー１０１は、その上端縁や下端縁に、表地１０８と裏地１０９とを縫着した縫い糸や、下辺連結布１０４の下端縁を内側に折り返して縫着した縫い糸が存在するため、これらの縫い糸が肌を刺激し、着用感を損ねるという問題点を有している。
【０００７】
さらに、上記従来のブラジャー１０１は、その上端縁や下端縁に、表地１０８と裏地１０９とを縫着した縫着部や、下辺連結布１０４の下端縁を内側に折り返して縫着した縫着部が存在するため、ブラジャー１０１の上端縁や下端縁の厚みが必然的に厚くならざるを得ず、アウターに響いたりして、外観を損ねるという問題点をも有していた。
【０００８】
そこで、この発明は、上記従来技術の問題点を解決するためになされたものでり、その目的とするところは、ブラジャー等の女性用下着（衣料）の縫着部を可能な限り減らし、製造が容易であって、製造コストの低減化が可能であるとともに、ブラジャー等の女性用下着の端縁部の厚みを薄くすることができ、着用感や外観を向上させることが可能な女性用下着等の衣料を提供することにある。
【０００９】
【課題を解決するための手段】
【００１０】
ここで、衣料を構成するために布片を所定の形状に形成するには、例えば、布片を所定の形状に裁断することによって行われるが、所定の形状に編まれた布片などを用いても良い。
【００１１】
なお、上記製品としての衣料をモールド成形する場合には、当該帯状テープ部材の接着加工を施した後に、モールド成形しても良い。
【００１２】
すなわち、請求項１に記載された発明は、衣料がブラジャーであって、当該ブラジャーを構成するため所定の形状に形成された布片を備えるとともに、当該布片の裏面側に裏当て部材を設けて前記ブラジャーの少なくとも一部を二重に構成し、当該二重に構成された前記ブラジャーの布片及び前記裏当て部材の少なくとも下方のエッジ部の両外面に、当該エッジ部を挟んだ状態で二つに折り返された帯状のテープ部材を接着するとともに、前記ブラジャーの布片及び前記裏当て部材の少なくとも下方のエッジ部の両内面どうしの、帯状のテープ部材が接着される部分を、予め互いに接着又は縫着し、かつ前記裏当て部材の上端のエッジ部を前記ブラジャーの布片に縫着するとともに、当該裏当て部材の側縁を前記衣料の布片に縫着せずに、パッド部材を挿入可能としたことを特徴とする衣料である。
【００１４】
また更に、請求項２に記載された発明は、前記ブラジャーの左右のカップ部の内側に、少なくともその一部に、裏当て部材を接着したことを特徴とする請求項１に記載の衣料である。
【００１５】
又、請求項３に記載された発明は、前記ブラジャーを構成するため所定の形状に形成された布片と、裏当て部材との材質を変えたことを特徴とする請求項１又は２に記載の衣料である。
【００１６】
更に、請求項４に記載された発明は、前記ブラジャーを構成するため所定の形状に裁断された布片と、裏当て部材との間に、パッド部材を介在させたことを特徴とする請求項１乃至３のいずれかに記載の衣料である。
【００１７】
また、請求項５に記載された発明は、前記帯状のテープ部材は、伸縮性を有する素材からなることを特徴とする請求項１乃至４のいずれかに記載の衣料である。
【００１８】
【発明の実施の形態】
以下に、この発明の実施の形態について図面を参照して説明する。
【００１９】
実施の形態１
図１はこの発明の実施の形態１に係る女性用下着としてのブラジャーを示すものである。
【００２０】
図１において、１は女性用下着としてのブラジャーを示すものであり、このブラジャー１は、女性のバストをそれぞれ覆う左右のカップ部２、３を備えている。これらの左右のカップ部２、３は、プレス加工等によって所定の膨出形状に形成されている。また、上記ブラジャー１は、左右のカップ部２、３と、女性の体の側面から背面側に位置する側布４、５が、一体的に形成されている。これら左右の側布４、５の先端部には、フックやアイ等からなる図示しない係止具が、縫着等の手段によって取り付けられている。また、上記左右のカップ部２、３の三角形状に形成された上端部には、女性の肩に掛けるストラップ６、７がそれぞれ装着されている。なお、図２は、本発明を適用可能な一般的なブラジャーの形状を示すものであり、本発明を適用することにより、カップ部の形状等は、適宜変わってくるものである。図２において、左右のカップ部２、３は、裏当てが施された二重に形成されており、当該裏当て用の布片は、エッジ部のみ接着するように構成してもよく、その上端部は、カップ部２、３の上端縁よりも下方に位置し、縁を樹脂止めするように構成されている。
【００２１】
ところで、この実施の形態では、女性用下着がブラジャーであって、当該ブラジャーを形成するため所定の形状に裁断された布片のエッジ部に、当該エッジ部を挟んだ状態で二つに折り返された帯状のテープ部材を接着するとともに、前記ブラジャーの左右のカップ部の内側に裏当て部材を設けて二重に構成し、当該裏当て部材の少なくとも下方のエッジ部を、前記布片とともに帯状のテープ部材を接着するように構成されている。
【００２２】
すなわち、この実施の形態では、図３に示すように、上記ブラジャー１を形成するため、綿などの天然繊維や合成繊維等からなるレース布地や普通の布地から、布片８が所定の形状に裁断されている。なお、この実施の形態では、ブラジャー１が１枚の布片によって形成されている。
【００２３】
また、上記所定の形状に裁断された布片８は、図４（ａ）（ｂ）に示すように、その上端及び下端のエッジ部９、１０、１１に、当該エッジ部９、１０、１１を挟んだ状態で二つ折り返された帯状のテープ部材（パイピングテープ）１２、１３、１４が、接着剤１５によって接着されている。上端の帯状のテープ部材１２、１３としては、幅の狭いものが、下端の帯状のテープ部材１４としては、幅の広いものが用いられている。これらの帯状のテープ部材１２、１３、１４としては、例えば、パワーネット、サテンネット、トリコネット等の伸縮性のある素材からなるものが用いられ、テープ部材１２、１３、１４の肌側には、柔らかな構造を採用するのが望ましい。また、上記テープ部材１２、１３、１４は、予め接着剤を塗布した後、加熱することによって接着される。
【００２４】
上記帯状のテープ部材１２、１３、１４の素材には、▲１▼広幅に編み立てられたラッセル編み地又はトリコット編み地に、ストレッチ性のある樹脂フィルムをコーティングし、適宜の幅にカットしたもの、▲２▼あるいは樹脂を塗布又は点接着したもの、▲３▼更には伸張力のある織物によるもの、▲４▼更にはテクニック編み又は織地、更には独自に編み立てしたテープ状製品に、熱溶着糸を編みこんだもの、又はストレッチ織地等を分散させても分散させなくても良い。尚、これらのテープ部材１２、１３、１４は、熱セットを前提にすれば、スパンデックスでも良い  が、帝人（株）社製のエステル系が良い。
【００２５】
さらに、上記ブラジャー１は、図５（ａ）（ｂ）に示すように、左右のカップ部２、３の内側に裏当て部材１６が設けられて二重に構成されており、当該裏当て部材１６の下端のエッジ部１７と一方の上端のエッジ部１８が、前記布片８とともに帯状のテープ部材１３、１４によって接着されている。そのため、上記布片８の端部と裏当て部材１６の端部どうしは、帯状のテープ部材１３、１４によって接着される部分が、予めミシン等によって縫着されるか又は接着剤によって接着されている。また、上記左右のカップ部２、３の内側に位置する裏当て部材１６は、その他方の上端のエッジ部１９が、布片８にミシン等によって縫着されている。また、上記裏当て部材１６の側縁２０は、必要に応じて、折り返した状態で縫着されているが、当該裏当て部材１６の側縁２０は、布片８に縫着されておらず、布片８と裏当て部材１１との間に、パッド部材２１を挿入することが可能となっている。このパッド部材２１は、バストの補正機能を高める場合などに適宜使用される。
【００２６】
また更に、上記ブラジャー１は、図６に示すように、左右のカップ部２、３の裏面中央部に、略台形状の中央部材２２が設けられている。この中央部材２２は、その上端及び下端のエッジ部２３、２４が、帯状のテープ部材１２、１４によって接着されているとともに、その一部が裏当て部材１６に接着されている。
【００２７】
なお、上記裏当て部材１６は、その素材や形状等を適宜選択することにより、▲１▼製品の衛生的特性を高める、▲２▼製品の機能性を高める、▲３▼製品の付加価値を高める、▲４▼デザイン性を高める等の点で効果があるが、当該裏当て部材１６は、これらの機能を付加する意図で、布片８に一体化させれば不要である。
【００２８】
以上の構成において、この実施の形態に係る女性用下着としてのブラジャーでは、次のようにして、ブラジャー等の女性用下着の縫着部を可能な限り減らし、製造が容易であって、製造コストの低減化が可能であるとともに、ブラジャー等の女性用下着の端縁部の厚みを薄くすることができ、着用感や外観を向上させることが可能となっている。
【００２９】
すなわち、この実施の形態に係るブラジャー１は、図１に示すように、所定の形状に裁断された布片８には、その上端及び下端のエッジ部９、１０、１１に、当該エッジ部９、１０、１１を挟んだ状態で二つ折り返された帯状のテープ部材１２、１３、１４が接着されている。そのため、上記所定の形状に裁断された布片８のエッジ部９、１０、１１を縫着したりする必要がなく、製造が容易であり、製造コストの低減化が可能である。また、上記ブラジャー１は、布片８の上端及び下端のエッジ部９、１０、１１に、帯状のテープ部材１２、１３、１４が接着されているので、布片８のエッジ部９、１０、１１には、縫い糸がないので、肌を刺激することがなく、しかも、エッジ部のほつれを帯状のテープ部材９、１０によって防止することができる。さらに、上記ブラジャー１は、布片８の上端及び下端のエッジ部９、１０、１１に、帯状のテープ部材１２、１３、１４が接着されているので、布片８の上端及び下端のエッジ部９、１０、１１を薄く形成することができ、柔らかいため、肌やアウターに響くことがない。
【００３０】
また、上記ブラジャー１は、左右のカップ部２、３の内側に裏当て部材１６が設けられて二重に構成されているため、布片８と裏当て部材１６との間に、パッド部材２１を挿入することができ、バストの補正効果等を高めることができる。
【００３１】
実施の形態２
図７乃至図９はこの発明の実施の形態２を示すものであり、前記実施の形態１と同一の部分には同一の符号を付して説明すると、この実施の形態２では、ブラジャーの左右のカップ部の内側に、少なくともその一部に、裏当て部材を接着するように構成されている。
【００３２】
すなわち、この実施の形態２では、図７（ａ）（ｂ）に示すように、ブラジャー１の左右のカップ部２、３のサイド部、又はサイド部から下端縁部に掛けて、裏当て部材３０がその内側に樹脂を塗布した状態で接着されている。
【００３３】
また、図８（ａ）（ｂ）では、ブラジャー１の左右のカップ部２、３の裏面側全面に、内側に樹脂を塗布した裏当て部材４０が接着されている。
【００３４】
さらに、図９（ａ）（ｂ）では、ブラジャー１の左右のカップ部２、３の布片８が、レース地等の柔らかい素材で形成されており、当該左右のカップ部２、３の裏面側全面に、内側に樹脂を塗布した張りのある素材からなる裏当て部材５０が接着されている。上記布片８と裏当て部材５０は、その素材や、タッチ、風合い、厚み等を変えることにより、着用感や保形性等を向上させることが可能となる。
【００３５】
このように、上記実施の形態２に係るブラジャー１は、左右のカップ部２、３の内側に裏当て部材３０〜５０が設けられて二重に構成されているため、表の布片８の生地と裏当て部材３０〜５０の生地を替えたり、裏当て部材３０〜５０にラミネートを施すことにより、乳頭がアウターに響かず、又、吸汗や発汗作用の生地をラミネートすることにより、着用感を高めることができる。
【００３６】
また更に、上記ブラジャー１は、左右のカップ部２、３の内側に裏当て部材３０〜５０が設けられて二重に構成されているため、表の布片８の生地と裏当て部材３０〜５０の生地を替えてラミネートを施すことにより、表生地は柔らかい素材で、裏は張りのある素材にすることにより、柔らかい素材では実現できない張りのあるカップ部を形成することができる。
【００３７】
その他の構成及び作用は、前記実施の形態１と同様であるので、その説明を省略する。
【００３８】
なお、前記実施の形態では、女性用下着として、ブラジャーに適用した場合について説明したが、これに限定されるわけではなく、この発明は、ガードル等の女性用下着に応用することが出来ることは勿論である。
【００３９】
実施の形態３
図１０はこの発明の実施の形態３を示すものであり、前記実施の形態と同一の部分には同一の符号を付して説明すると、この実施の形態３では、女性用下着のカップ部のみではなく、ストラップ部分等をも含む部分のエッジ部に、当該エッジ部を挟んだ状態で二つ折り返された帯状のテープ部材を接着するように構成されている。
【００４０】
すなわち、この実施の形態３では、図１０に示すように、ブラジャー１のカップ部２（３）を構成する布片８のエッジ部９、１０、１１に、当該エッジ部９、１０、１１を挟んだ状態で二つ折り返された帯状のテープ部材１２、１３、１４を接着するのみではなく、当該ブラジャー１のストラップ（肩紐）６の部分をも、カップ部２を構成する布片８と同一の布片で構成し、このストラップ６のエッジ部６ａ、６ｂに、当該エッジ部６ａ、６ｂを挟んだ状態で二つ折り返された帯状のテープ部材１２、１３を接着するように構成されている。
【００４１】
このように、ブラジャー１のカップ部分２とともにストラップ６の部分をも、１枚の布片８で構成し、この布片８のエッジ部分９、１０、１１、６ａ、６ｂに、当該エッジ部９、１０、１１、６ａ、６ｂを挟んだ状態で二つ折り返された帯状のテープ部材１２、１３、１４を接着することにより、図１０（ａ）に示すように、１枚のパーツでスッキリとした仕上げとすることができ、ゴロツキ感がなく、肌当たりが良好で、しかも帯状のテープ部材１２、１３、１４が伸縮性を有することによって、着用感が好ましく、表着に響くことがない。また、図１０（ｂ）に示すように、エッジ部９、１０、１１、６ａ、６ｂに継ぎ目がないので、厚みが無く、肌当たりが良好であるとともに、この点からも表着に響くことがなく、しかも縫い糸が無いため、縫い糸が肌に接触して炎症等を起こす虞れがない。
【００４２】
これに対して、図１１（ａ）に示す従来例の場合には、カップ部１０２、１０４及びストラップ１０５、１０６を布片のカッティング及び縫製で構成しているため、複数のパーツが必要となって、カッティングや縫製作業が複雑となり、コスト高となるばかりか、縫代や仕上げ処理のために、図１１（ｂ）に示すように、ブラジャー１０１のエッジ部分が厚くなり、ゴロツキ感や継ぎ目の厚みが表着に響き、しかも継ぎ目が肌当たりを悪くするとともに、縫い糸が時折肌に接触して炎症を起こす虞れがある。
【００４３】
また、上記実施の形態３において、図１２及び図１３に示すように、カップ部２、３に密着する布片６０やストラップ部分６、７、あるいは脇部を構成する布片６１などとして、必要に応じて機能素材を表面及び／又は裏面にコーティングしたものを用いるように構成しても良い。
【００４４】
例えば、アレルギー体質の女性に対しては、カップ部２、３の内面を構成する布片やストラップ部分、あるいは脇部を構成する布片など、肌と直接接触する度合いが高い部分には、肌当たりの良い素材や、アレルギーを起こさない天然素材などを用いるように構成しても良い。
【００４５】
また、図１２は製品本体を肌当たりの良い素材を持って構成し、表側に機能素材６０、６１をコーティングすることにより、物性的接触抵抗（コーティングによるゴロツキ感等、逆に衛生的機能素材であれば内側でも良い）を減少させるように構成しても良い。このように、機能素材６０、６１などは、裏面側でなく表面側に貼りつけても良く、こうした場合には、デザイン性をも向上させることができる。
【００４６】
さらに、ジョギング等のスポーツを行う女性が着用する製品に対しては、カップ部内面の上端縁やストラップ部分、あるいは脇部内面を構成する布片など、肌と直接擦れ合う度合いが高い部分には、肌との摩擦が小さい素材などを用いるように構成しても良い。
【００４７】
また、図１３は製品本体にメッシュ調又はツーウェイタイプのフレキシブルな素材６２、６３を使用し、通気性の必要な部分、又は柔軟性の必要な部分とサポートすべき部分とを構成するテクニックを示すものである。
【００４８】
また、この実施の形態３では、図１４に示すように、カップ部２、３の裏面側に、裏地６４を帯状のテープ部材と同様に熱接着により設けるように構成されている。この裏地６４を設けることによって、ファンデーション機能を高めるためのデザインから肌当たり、吸汗性を高める等の機能性を付加することができる。さらに、上記裏地６４は、その機能から、ソフト性、ボリューム、ストレッチ性、度目等オールデザインであるが、カップ部２、３と一体的に構成する必要があるため、成型性を必要とする。
【００４９】
さらに、この実施の形態３では、図１５に示すように、カップ部２、３の裏面側に、裏地６４を設けるとともに、これらカップ部２、３を構成する布片８と裏地６４との間に、パッド体６５を適宜デザインした上でサンドイッチするように構成しても良い。このように、パッド体６５を設けることによって、バストアップ機能を高めるなど補正機能を持たせることが可能となる。なお、上記パッド体６５は、その形状や材質は問わない。
【００５０】
また更に、上記実施の形態３の変形例としては、図１６に示すように、カップ部２、３の裏面側に、裏地６４を熱接着により設けるとともに、これらカップ部２、３を構成する布片８と裏地６４との間に芯体６６をサンドすることにより、カップ部２、３の成型性及び形状維持性を高めるように構成してもよい。この場合には、上記芯体６６のエッジ部６６ａの厚みがカップ部２、３等に現れないように、芯体６６のエッジ部６６ａは、裏地６４や身頃８のエッジ部より１ｃｍ前後内側に位置するように設計し、尚且つ、カップ部２、３を構成する布片８と裏地６４との接着性をも確保するように構成するのが望ましい。
【００５１】
更に、上記実施の形態３の変形例としては、図１７に示すように、カップ部２、３の裏面側に、裏地６４を熱接着により設けるとともに、これらカップ部２、３を構成する布片８と裏地６４との間に保形用のボーン６７、６８、６９をサンドすることにより、カップ部２、３の補正機能や形状維持性を高めるように構成しても良い。この場合、保形用のボーン６７、６８、６９は、樹脂成型やフィルム状のものなど、カップ部の厚みに響かないものが望ましく、強度や保形性は、ボーンの厚味でなく、幅で創出するのが望ましい。
【００５２】
その他の構成及び作用は、前記実施の形態１と同様であるので、その説明を省略する。
【００５３】
参考実施の形態
図１８及び１９はこの発明の参考実施の形態を示すものであり、前記実施の形態と同一の部分には同一の符号を付して説明すると、この参考実施の形態では、女性用下着としてブラジャーに適用したものではなく、女性用下着としてガードルに適用するように構成したものである。
【００５４】
すなわち、この参考実施の形態では、女性用下着としてガードル７０に適用したものであり、ガードル７０を構成する布片７１のエッジ部７１ａ等に、当該エッジ部７１を挟んだ状態で二つに折り返された帯状のテープ部材７２を接着したことを、基本的な構成としつつ、図１８に示すように、ガードル７０の表身頃を構成する布片７１の裏面側に、適宜所望の形状にデザインされてカッティングされた裏地７３を、熱接着等により設けるとともに、これらガードル７０の表身頃を構成する布片７１と裏地７３との間に、下腹部の膨出を補整するために、例えば、Ｖ字形状に形成された合成樹脂製等のボーン７４を１本乃至複数本設けるように構成されている。
【００５５】
また、この参考実施の形態では、図１９に示すように、女性用下着としてガードル７０の脇部からヒップ部に掛けての身頃を構成する布片７１の裏面に、裏地７５を熱接着等により設けるとともに、これらガードル７０のヒップ部に位置する身頃を構成する布片７１と裏地７５との間に、ヒップパッド７６をサンドイッチし、ヒップアップ効果やヒップ部の補整を高めるように構成されている。
【００５６】
なお、この参考実施の形態では、女性用下着としてガードル７０に適用したものであり、エッジ部７１等を構成する二つに折り返された帯状のテープ部材７２としては、その装着部位や求められる機能に応じて、例えば、図２０（ａ）に示すように、表裏が同一の編織組織で、表裏が同一の組成となっているもの、図２０（ｂ）に示すように、表裏が異なる編織組織（例えば、裏のみがトリコット地）で、表裏が異なる組成となっているもの、図２０（ｃ）に示すように、表裏が異なる厚味（例えば、裏のみが厚地）で、表裏が異なるタッチのもの、図２０（ｄ）に示すように、表に装飾性を付与し、プリントや刺繍、編織柄入のものなど、適宜用いることができる。
【００５７】
さらに、この参考実施の形態では、エッジ部を構成する二つに折り返された帯状のテープ部材７２として、図２１（ａ）に示すように、表側を折り返した部分をエッジ部で丸めて、エッジ部を強調したり、図２１（ｂ）に示すように、表側を折り返した部分の下端部を、断面略かまぼこ形状に厚味を持たせ、やはりエッジ部を強調したり、図２１（ｃ）に示すように、帯状のテープ部材のエッジ部に小さなアーチ形状のフリンジ部を設けるなどして、装飾性を高めるように構成しても良い。
【００５８】
その他の構成及び作用は、前記実施の形態１と同様であるので、その説明を省略する。
【００５９】
【発明の効果】
以上述べたように、この発明によれば、ブラジャーである女性用下着（衣料）の縫着部を可能な限り減らし、製造が容易であって、製造コストの低減化が可能であるとともに、ブラジャーである女性用下着の端縁部の厚みを薄くすることができ、着用感や外観を向上させることが可能な女性用下着としてのブラジャーである衣料を提供することができる。
【図面の簡単な説明】
【図１】  図１（ａ）〜（ｄ）はこの発明の実施の形態１に係る女性用下着  （衣料）としてのブラジャーを示す構成図である。
【図２】  図２（ａ）（ｂ）はこの発明の実施の形態１に係る女性用下着（衣料）としてのブラジャーを示す構成図である。
【図３】  図３はこの発明の実施の形態１に係る女性用下着（衣料）としてのブラジャーを構成する布片を示す構成図である。
【図４】  図４（ａ）（ｂ）はこの発明の実施の形態１に係る女性用下着としてのブラジャーを構成する布片を示す構成図である。
【図５】  図５（ａ）（ｂ）はこの発明の実施の形態１に係る女性用下着としてのブラジャーを構成する布片を示す構成図である。
【図６】  図６はこの発明の実施の形態１に係る女性用下着としてのブラジャーを示す裏面構成図である。
【図７】  図７（ａ）（ｂ）はこの発明の実施の形態２に係る女性用下着としてのブラジャーを示す構成図である。
【図８】  図８（ａ）（ｂ）はこの発明の実施の形態２に係る女性用下着としてのブラジャーを示す構成図である。
【図９】  図９（ａ）（ｂ）はこの発明の実施の形態２に係る女性用下着としてのブラジャーを示す構成図である。
【図１０】  図１０（ａ）（ｂ）はこの発明の実施の形態３に係る女性用下着としてのブラジャーを示す構成図である。
【図１１】  図１１（ａ）（ｂ）は従来の女性用下着としてのブラジャーを示す構成図である。
【図１２】  図１２はこの発明の実施形態３の変形例に係る女性用下着としてのブラジャーを示す構成図である。
【図１３】  図１３はこの発明の実施形態３の変形例に係る女性用下着としてのブラジャーを示す構成図である。
【図１４】  図１４はこの発明の実施形態３の変形例に係る女性用下着としてのブラジャーを示す構成図である。
【図１５】  図１５はこの発明の実施形態３の変形例に係る女性用下着としてのブラジャーを示す構成図である。
【図１６】  図１６（ａ）（ｂ）はこの発明の実施形態３の変形例に係る女性用下着としてのブラジャーを示す構成図である。
【図１７】  図１７（ａ）（ｂ）はこの発明の実施形態３の変形例に係る女性用下着としてのブラジャーを示す構成図である。
【図１８】  図１８はこの発明の参考実施の形態に係る女性用衣料としてのガードルを示す構成図である。
【図１９】  図１９はこの発明の参考実施の形態に係る女性用衣料としてのガードルを示す構成図である。
【図２０】  図２０（ａ）〜（ｄ）はテープ部材をそれぞれ示す構成図である。
【図２１】  図２１（ａ）〜（ｃ）はテープ部材をそれぞれ示す構成図である。
【図２２】  図２２は従来のブラジャーを示す構成図である。
【図２３】  図２３は従来のブラジャーを示す断面構成図である。
【符号の説明】
１：ブラジャー（女性用下着）、２、３：左右のカップ部、４、５：側布、  ６、７：ストラップ、８：布片、９、１０、１１：布片のエッジ部、１２、１３、１４：帯状のテープ部材。
【図１】
0004374169.tif 000002
【図２】
0004374169.tif 000003
【図３】
0004374169.tif 000004
【図４】
0004374169.tif 000005
【図５】
0004374169.tif 000006
【図６】
0004374169.tif 000007
【図７】
0004374169.tif 000008
【図８】
0004374169.tif 000009
【図９】
0004374169.tif 000010
【図１０】
0004374169.tif 000011
【図１１】
0004374169.tif 000012
【図１２】
0004374169.tif 000013
【図１３】
0004374169.tif 000014
【図１４】
0004374169.tif 000015
【図１５】
0004374169.tif 000016
【図１６】
0004374169.tif 000017
【図１７】
0004374169.tif 000018
【図１８】
0004374169.tif 000019
【図１９】
0004374169.tif 000020
【図２０】
0004374169.tif 000021
【図２１】
0004374169.tif 000022
【図２２】
0004374169.tif 000023
【図２３】
0004374169.tif 000024